(57)【要約】    【課題】  画像データの複製時間を短縮し、且つ停電等の障害が発生したときでも画像データが失われる被害を最小限に抑えることができる画像記録装置及び方法、並びにプログラム及び記憶媒体を提供することにある。    【解決手段】  本画像記録装置では、スキャンが開始したときは、スキャナによって原稿画像を入力して、ＨＤ６に原稿画像データをＴＩＦＦ形式、ＪＰＥＧ形式等のファイルとして記録し、記録が終了すると、タイマ変数を「０」にリセットし、記録された画像データの累積のサイズだけ状態変数を増加させる。状態変数７の値とタイマ変数８の値が夫々一定値以上に達すると、ＨＤ６に記録されたファイルをＣＤ−Ｒ５に複製する。【選択図】      図２
2006147055.tif 000002
【特許請求の範囲】
【請求項１】
着脱できず書き換え可能な第１の記憶手段と、着脱可能で書き換え不可能な第２の記憶手段と、画像データを前記第１の記憶手段に記録する記録手段とを備える画像記録装置において、
前記記録手段により前記第１の記憶手段への前記画像データの記録が終了した後の経過時間を計時する計時手段と、前記記録手段により前記第１の記憶手段に記録された画像データのサイズを取得する取得手段とを備え、前記計時された経過時間が第１の一定値以上であり、且つ前記取得された画像データのサイズが第２の一定値以上であるとき、前記第１の記録手段に記録された画像データを前記第２の記録手段に複製する複製手段とを備えることを特徴とする画像記録装置。
【請求項２】
前記記録手段がスキャナから成ることを特徴とする請求項１記載の画像記録装置。
【請求項３】
前記複製手段により前記第１の記録手段に記録された画像データが前記第２の記録手段に複製された後、前記計時された経過時間及び前記取得された画像データのサイズが夫々リセットされることを特徴とする請求項１又は２記載の画像記録装置。
【請求項４】
前記第１の一定値は任意に設定し得ることを特徴とする請求項１乃至３のいずれか１項に記載の画像記録装置。
【請求項５】
前記第２の一定値は任意に設定し得ることを特徴とする請求項１乃至４のいずれか１項に記載の画像記録装置。
【請求項６】
着脱できず書き換え可能な第１の記憶手段と、着脱可能で書き換え不可能な第２の記憶手段と、画像データを前記第１の記憶手段に記録する記録手段とを備える画像記録装置の画像記録方法において、
前記記録手段により前記第１の記憶手段への前記画像データの記録が終了した後の経過時間を計時する計時ステップと、前記記録手段により前記第１の記憶手段に記録された画像データのサイズを取得する取得ステップとを備え、前記計時された経過時間が第１の一定値以上であり、且つ前記取得された画像データのサイズが第２の一定値以上であるとき、前記第１の記録手段に記録された画像データを前記第２の記録手段に複製する複製ステップとを備えることを特徴とする画像記録方法。
【請求項７】
前記記録手段がスキャナから成ることを特徴とする請求項６記載の画像記録方法。
【請求項８】
前記複製ステップにより前記第１の記録手段に記録された画像データが前記第２の記録手段に複製された後、前記計時された経過時間及び前記取得された画像データのサイズが夫々リセットされることを特徴とする請求項６又は７記載の画像記録方法。
【請求項９】
前記第１の一定値は任意に設定し得ることを特徴とする請求項６乃８至のいずれか１項に記載の画像記録方法。
【請求項１０】
前記第２の一定値は任意に設定し得ることを特徴とする請求項６乃至９のいずれか１項に記載の画像記録方法。
【請求項１１】
着脱できず書き換え可能な第１の記憶手段と、着脱可能で書き換え不可能な第２の記憶手段と、画像データを前記第１の記憶手段に記録する記録手段とを備える画像記録装置の画像記録プログラムにおいて、
前記記録手段により前記第１の記憶手段への前記画像データの記録が終了した後の経過時間を計時する計時モジュールと、前記記録手段により前記第１の記憶手段に記録された画像データのサイズを取得する取得モジュールとを備え、前記計時された経過時間が第１の一定値以上であり、且つ前記取得された画像データのサイズが第２の一定値以上であるとき、前記第１の記録手段に記録された画像データを前記第２の記録手段に複製する複製モジュールとをコンピュータに実行させることを特徴とする画像記録プログラム。
【請求項１２】
請求項１１記載のプログラムを格納することを特徴とするコンピュータ読取り可能な記憶媒体。
【発明の詳細な説明】
【技術分野】
【０００１】
本発明は、画像記録装置及び方法、並びにプログラム及び記憶媒体に関し、特に、画像をスキャンにより入力し、入力された画像データを記録する画像記録装置及び方法、並びにプログラム及び記憶媒体に関する。
【背景技術】
【０００２】
従来の画像記録装置は、画像をスキャンにより入力するためのスキャナと、入力された画像データを一時的に記録するためのＨＤ(Hard Disk)と、画像データを恒久的に保存するためのＣＤ−Ｒ(Compact Disk-Recordable)とを有している（例えば、特許文献１参照）。
【０００３】
図３は、従来の画像記録装置の構成を概略的に示すブロック図である。
【０００４】
図３において、画像記録装置は、制御手段としてのＣＰＵ９と、操作画面を表示するためのディスプレイ１０と、操作者が操作を指示するためのキーボード１１と、画像をスキャンにより入力するためのスキャナ１２と、着脱可能で書き換え不可能な記憶手段としてのＣＤ−Ｒ１３と、着脱できず、書き換え可能な記憶手段としてのＨＤ１４とを備える。ディスプレイ１０、キーボード１１、スキャナ１２、ＣＤ−Ｒ１３、及びＨＤ１４は、夫々ＣＰＵ９に接続されている。
【０００５】
操作者がＣＤ−Ｒ１３を装着した状態で画像データを取り込むための指示を行うと、スキャナ１２によって原稿の画像データが入力され、ＨＤ１４に原稿の画像データが記録される。次に、操作者の指示により、ＨＤ１４に記録された画像データをＣＤ−Ｒ１３に転送し、装置からＣＤ−Ｒ１３を取り出す。
【特許文献１】特開平６−１３１８０９号公報
【発明の開示】
【発明が解決しようとする課題】
【０００６】
しかしながら、従来技術では、画像データをＣＤ−Ｒに記録するためには、まずＨＤに画像データを記録してから、次にＣＤ−Ｒに複製するという２段階の手順を必要とするので、ＨＤに記録した画像データの容量が大きい場合、ＣＤ−Ｒに複製を行うために長い時間を要する上に、ＨＤに記録してからＣＤ−Ｒに複製する前に停電等の何らかの障害が発生して、ＣＤ−Ｒに画像データが記録されていない場合に、操作者は、障害から復帰した後に、ＣＤ−Ｒへの画像複製操作を指示する必要があるが、誤って複製操作を行わないまま別のＣＤ−Ｒを装置に装着した場合は、ＣＤ−Ｒへの複製が完了していない画像データが削除されてしまう。
【０００７】
本発明は、画像データの複製時間を短縮し、且つ停電等の障害が発生したときでも画像データが失われる被害を最小限に抑えることができる画像記録装置及び方法、並びにプログラム及び記憶媒体を提供することにある。
【課題を解決するための手段】
【０００８】
上記目的を達成するために、請求項１記載の画像記録装置は、着脱できず書き換え可能な第１の記憶手段と、着脱可能で書き換え不可能な第２の記憶手段と、画像データを前記第１の記憶手段に記録する記録手段とを備える画像記録装置において、前記記録手段により前記第１の記憶手段への前記画像データの記録が終了した後の経過時間を計時する計時手段と、前記記録手段により前記第１の記憶手段に記録された画像データのサイズを取得する取得手段とを備え、前記計時された経過時間が第１の一定値以上であり、且つ前記取得された画像データのサイズが第２の一定値以上であるとき、前記第１の記録手段に記録された画像データを前記第２の記録手段に複製する複製手段とを備えることを特徴とする。
【０００９】
請求項６記載の画像記録方法は、着脱できず書き換え可能な第１の記憶手段と、着脱可能で書き換え不可能な第２の記憶手段と、画像データを前記第１の記憶手段に記録する記録手段とを備える画像記録装置の画像記録方法において、前記記録手段により前記第１の記憶手段への前記画像データの記録が終了した後の経過時間を計時する計時ステップと、前記記録手段により前記第１の記憶手段に記録された画像データのサイズを取得する取得ステップとを備え、前記計時された経過時間が第１の一定値以上であり、且つ前記取得された画像データのサイズが第２の一定値以上であるとき、前記第１の記録手段に記録された画像データを前記第２の記録手段に複製する複製ステップとを備えることを特徴とする。
【００１０】
請求項１１記載の画像記録プログラムは、着脱できず書き換え可能な第１の記憶手段と、着脱可能で書き換え不可能な第２の記憶手段と、画像データを前記第１の記憶手段に記録する記録手段とを備える画像記録プログラムにおいて、前記記録手段により前記第１の記憶手段への前記画像データの記録が終了した後の経過時間を計時する計時モジュールと、前記記録手段により前記第１の記憶手段に記録された画像データのサイズを取得する取得モジュールとを備え、前記計時された経過時間が第１の一定値以上であり、且つ前記取得された画像データのサイズが第２の一定値以上であるとき、前記第１の記録手段に記録された画像データを前記第２の記録手段に複製する複製モジュールとをコンピュータに実行させることを特徴とする。
【００１１】
請求項１２記載のコンピュータ読取り可能な記憶媒体は、請求項１１記載のプログラムを格納することを特徴とする。
【発明の効果】
【００１２】
本発明によれば、任意の操作を行ってから一定時間以上が経過した画像データを操作者からの指示がなくともＣＤ−Ｒへの複製を行うので、操作者が複製操作を指示したときは比較的新しく記録された画像ファイルのみをＣＤ−Ｒに複製するだけで済み、複製時間を短くすることができ、また、万が一停電等の障害が発生し、障害復帰後に操作者が複製操作を行わなかったとしても、失われる可能性のある画像ファイルの数を最小限に抑えることができる。
【発明を実施するための最良の形態】
【００１３】
以下、本発明の実施の形態を図面を参照しながら詳述する。
【００１４】
図１は、本発明の実施の形態に係る画像記録装置の構成を概略的に示すブロック図である。
【００１５】
図１の画像記録装置は、操作画面を表示するためのディスプレイ２と、操作者が操作を指示するためのキーボード３と、画像データをスキャンにより入力するためのスキャナ４と、画像を着脱可能で書き換え不可能な記憶手段としてのＣＤ−Ｒ５と、着脱できず書き換え可能な記憶手段としてのＨＤ６とを備え、これらは、後述する図２の画像記録処理の手順（プログラム１５）を実行するＣＰＵ１に夫々接続されている。上記プログラム１５は、０又は１という値をとる状態変数７と、任意の時点からの経過時間を保持するタイマ変数８とを用いる。
【００１６】
図２は、図１における画像記録装置によって実行される画像記録処理の手順を示すフローチャートである。
【００１７】
本処理のプログラム１５は、図１の画像記録装置のＣＰＵによって実行される。
【００１８】
図２において、状態変数及びタイマ変数の値を夫々「０」にセットし（ステップＳ１, Ｓ２）、次に、操作者の指示によりスキャンが開始されたか否か判別し（ステップＳ３）、スキャンが開始したときは、スキャナによって原稿画像が入力されて、ＨＤ６に原稿の画像データがＴＩＦＦ(Tagged Image File Format)形式、ＪＰＥＧ(Joint Photographic Experts Group)形式等のファイルとして記録され、記録が終了すると（ステップＳ７でＹＥＳ）、タイマ変数を「０」にリセットし（ステップＳ８）、記録された画像データの累積のサイズだけ状態変数を増加させ（ステップＳ９）、ステップＳ３に戻る。
【００１９】
ステップＳ３の判別の結果、スキャンが開始されないときは、操作者の指示によりＣＤ−Ｒ５への複製が開始されたか否かを判別し（ステップＳ４）、画像データのＣＤ−Ｒ５への複製が開始されたときは、ＨＤ６に記録された画像データをＣＤ−Ｒ５に複製し（ステップＳ１０）、ＣＤ−Ｒ５を装置から取り出して（ステップＳ１１）、ステップＳ１に戻り、状態変数７とタイマ変数８を夫々「０」にリセットした上で、ステップＳ３以降の処理を実行する。
【００２０】
ステップＳ４の判別の結果、ＣＤ−Ｒ５への複製が開始されないときは（ステップＳ４でＮＯ）、タイマ変数の値を１だけインクリメントし（ステップＳ５）、タイマ変数と状態変数の値が夫々一定値以上になったか否かを判別して（ステップＳ６）、一定値以上になっていないときは、ステップＳ３以降の処理を実行する。
【００２１】
ステップＳ６の判別の結果、状態変数７の値とタイマ変数８の値が夫々一定値以上に達すると、ＨＤ６に記録されたファイルをＣＤ−Ｒ５に複製して（ステップＳ１２）、ステップＳ１に戻り、状態変数７とタイマ変数８を夫々「０」にリセットした後、ステップＳ３以降の処理を実行する。状態変数が「０」であるので、その後はタイマ変数が再び一定値以上に達したとしても、ステップＳ６における条件を満たさない（ステップＳ６でＮＯ）ので、ステップＳ１２におけるＣＤ−Ｒ５への複製は行われない。
【００２２】
任意の操作からどれだけの時間が経過した場合に画像をＣＤ−Ｒ５に記録するかは、固定値である必要はない。例えば、１０分、３０分、１時間が経過したときに自動的にＣＤ−Ｒ５に記録する、または、操作者が指示したときのみＣＤ−Ｒ５に記録するという４つの選択肢を示して、操作者が選択した設定で動作することなどが考えられる。同様に、どれだけの大きさの画像データが記録された場合に画像をＣＤ−Ｒ５に記録するかも固定値である必要はない。
【００２３】
本実施の形態によれば、任意の操作を行ってから一定時間以上が経過した画像は（ステップＳ６でＹＥＳ）、操作者からの指示がなくともＣＤ−Ｒへの複製を行う（ステップＳ１２）ので、操作者が複製操作を指示したときは比較的新しく記録された画像ファイルのみをＣＤ−Ｒに複製するだけで済み、複製時間を短くすることができ、また、万が一停電等の障害が発生し、障害復帰後に操作者が複製操作を行わなかったとしても、書換え不可能なＣＤ−Ｒ５に記録してあるため、失われる可能性のある画像ファイルの数を最小限に抑えることができる。
【００２４】
また、上述した入力手段はキーボード以外にマウス、タッチパネル等でもよい。画像入力手段はスキャナ以外にカメラ等でもよい。
【００２５】
また、本発明の目的は、上記実施形態の機能を実現するソフトウェアのプログラムコードを記録した記憶媒体（又は記録媒体）を、システム又は装置に供給し、そのシステム又は装置のコンピュータ（又はＣＰＵやＭＰＵ）が記憶媒体に格納されたプログラムコードを読み出し実行することによっても、達成されることは言うまでもない。
【００２６】
この場合、記憶媒体から読み出されたプログラムコード自体が前述した実施形態の機能を実現することになり、そのプログラムコードを記憶した記憶媒体は本発明を構成することになる。
【００２７】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)等が実際の処理の一部又は全部を行い、その処理によって前述した実施形態の機能が実現される場合も含まれることは言うまでもない。
【００２８】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵ等が実際の処理の一部又は全部を行い、その処理によって前述した実施形態の機能が実現される場合も含まれることは言うまでもない。
【００２９】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００３０】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。又は、上記プログラムは、インターネット、商用ネットワーク、若しくはローカルエリアネットワーク等に接続される不図示の他のコンピュータやデータベース等からダウンロードすることにより供給される。
【図面の簡単な説明】
【００３１】
【図１】本発明の実施の形態に係る画像記録装置の構成を概略的に示すブロック図である。
【図２】図１における画像記録装置によって実行される画像記録処理の手順を示すフローチャートである。
【図３】従来の画像記録装置の構成を概略的に示すブロック図である。
【符号の説明】
【００３２】
１  ＣＰＵ
２  ディスプレイ
３  キーボード
４  スキャナ
５  ＣＤ−Ｒ
６  ＨＤ
７  状態変数
８  タイマ変数
１５  プログラム
【図１】
2006147055.tif 000003
【図２】
2006147055.tif 000004
【図３】
2006147055.tif 000005